【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
ベースと、
前記ベースに対して可動であり、レンズを保持するホルダと、
前記レンズを挟むように、前記ホルダから突出して設けられた一対の基板と、
前記一対の基板にそれぞれ設けられたコイルと、
前記コイルのそれぞれに対向するように、前記ベースに設けられた磁石とを有することを特徴とする光ピックアップ装置用のレンズ駆動装置。
【請求項２】
ベースと、
前記ベースに対して可動であり、レンズを保持し、前記レンズを挟む一対の突出部を備えたホルダと、
前記一対の突出部にそれぞれ設けられた基板と、
前記基板のそれぞれに設けられたコイルと、
前記コイルのそれぞれに対向するように、前記ベースに設けられた磁石とを有することを特徴とする光ピックアップ装置用のレンズ駆動装置。
【請求項３】
前記基板はトラッキング方向に延在していることを特徴とする請求項１又は２に記載の光ピックアップ装置用のレンズ駆動装置。
【請求項４】
前記基板は、前記レンズの光軸に対して放射状に延在するように配置されており、前記基板の延在方向に見たときに、少なくとも１つの前記磁石は前記レンズと重合するように配置されていることを特徴とする請求項１〜３のいずれかに記載の光ピックアップ装置用のレンズ駆動装置。
【請求項５】
前記ベースと前記基板とに半田付けされ、両者を連結するワイヤを有していることを特徴とする請求項１〜４のいずれかに記載の光ピックアップ装置用のレンズ駆動装置。
【請求項６】
前記各対の磁石は、互いに異極を対向させた２つの磁石を有し、前記基板は、２つの磁石の間に配置されていることを特徴とする請求項１〜５のいずれかに記載の光ピックアップ装置用のレンズ駆動装置。
【請求項７】
前記各対の磁石は、それぞれ単一の分極磁石であることを特徴とする請求項１〜５のいずれかに記載の光ピックアップ装置用のレンズ駆動装置。
【請求項８】
前記レンズ駆動装置が光ピックアップ装置に搭載されたとき、前記磁石は前記光ピックアップ装置の光源とは反対側に設けられていることを特徴とする請求項７に記載の光ピックアップ装置用のレンズ駆動装置。
【請求項９】
前記パターンは、前記基板に１層もしくは複数層設けることを特徴とする請求項１〜８のいずれかに記載の光ピックアップ装置用のレンズ駆動装置。
【請求項１０】
前記基板は前記ホルダにインサート成形されていることを特徴とする請求項１、４〜９のいずれかに記載の光ピックアップ装置用のレンズ駆動装置。
【請求項１１】
前記基板の一端が、前記ホルダに接着されていることを特徴とする請求項１、４〜９のいずれかに記載の光ピックアップ装置用のレンズ駆動装置。
【請求項１２】
前記基板の表面が、前記ホルダに形成された突出部に接着されていることを特徴とする請求項２〜９のいずれかに記載の光ピックアップ装置用のレンズ駆動装置。
【請求項１３】
前記突出部の一部には、切欠もしくは開口が形成されていることを特徴とする請求項１２に記載の光ピックアップ装置用のレンズ駆動装置。
【請求項１４】
一方の突出部の前記切欠もしくは前記開口は、他方の突出部の前記切欠もしくは前記開口と形状が異なっていることを特徴とする請求項１３に記載の光ピックアップ装置用のレンズ駆動装置。
【請求項１５】
前記切欠もしくは前記開口内に、前記基板が装着されていることを特徴とする請求項１３又は１４に記載の光ピックアップ装置用のレンズ駆動装置。
【請求項１６】
前記渦巻き状のパターンは、トラッキング用とフォーカシング用の２種類設けられており、一対の基板に設けられたトラッキング用のパターンとフォーカシング用のパターンとは、それぞれ前記レンズを挟んで対称の位置に配置されていることを特徴とする請求項１〜１５のいずれかに記載の光ピックアップ装置用のレンズ駆動装置。
【請求項１７】
前記渦巻き状のパターンは、チルト用に設けられており、一対の基板に設けられたチルト用のパターンは、前記レンズを挟んで対称の位置に配置されていることを特徴とする請求項１６に記載の光ピックアップ装置用のレンズ駆動装置。
【請求項１８】
前記レンズ駆動装置は、光源側から入射した光束を立ち上げミラーで反射させ、レンズを介して光ディスクに集光させる光ピックアップ装置に用いられることを特徴とする請求項１〜１７のいずれかに記載の光ピックアップ装置用のレンズ駆動装置。
【請求項１９】
前記光源からの光束は可動コリメータを通過して前記立ち上げミラーで反射されることを特徴とする請求項１８に記載の光ピックアップ装置用のレンズ駆動装置。
【請求項２０】
前記可動コリメータを駆動するモータ装置を、前記磁石の近傍に設けたことを特徴とする請求項１８又は１９に記載の光ピックアップ装置用のレンズ駆動装置。
【請求項２１】
前記可動コリメータを、前記レンズの近傍に設けたことを特徴とする請求項１８〜２０のいずれかに記載の光ピックアップ装置用のレンズ駆動装置。
【手続補正２】
【補正対象書類名】明細書
【補正対象項目名】発明の名称
【補正方法】変更
【補正の内容】
【発明の名称】光ピックアップ装置用のレンズ駆動装置
【手続補正３】
【補正対象書類名】明細書
【補正対象項目名】０００５
【補正方法】変更
【補正の内容】
【０００５】
請求項１に記載の光ピックアップ装置用のレンズ駆動装置は、
ベースと、
前記ベースに対して可動であり、レンズを保持するホルダと、
前記レンズを挟むように、前記ホルダから突出して設けられた一対の基板と、
前記一対の基板にそれぞれ設けられたコイル（プリントコイル）と、
前記コイルのそれぞれに対向するように、前記ベースに設けられた磁石とを有することを特徴とする。
【手続補正４】
【補正対象書類名】明細書
【補正対象項目名】００１８
【補正方法】変更
【補正の内容】
【００１８】
請求項２に記載の光ピックアップ装置用のレンズ駆動装置は、
ベースと、
前記ベースに対して可動であり、レンズを保持し、前記レンズを挟む一対の突出部を備えたホルダと、
前記一対の突出部にそれぞれ設けられた基板と、
前記基板のそれぞれに設けられたコイルと、
前記コイルのそれぞれに対向するように、前記ベースに設けられた磁石とを有することを特徴とする。
【手続補正５】
【補正対象書類名】明細書
【補正対象項目名】００２０
【補正方法】変更
【補正の内容】
【００２０】
請求項３に記載の光ピックアップ装置用のレンズ駆動装置は、請求項１又は２に記載の発明において、前記基板はトラッキング方向に延在していることを特徴とする。
請求項４に記載の光ピックアップ装置用のレンズ駆動装置は、請求項１〜３のいずれかに記載の発明において、前記基板は、前記レンズの光軸に対して放射状に延在するように配置されており、前記基板の延在方向に見たときに、少なくとも１つの前記磁石は前記レンズと重合するように配置されていることを特徴とする。
【手続補正６】
【補正対象書類名】明細書
【補正対象項目名】００２２
【補正方法】変更
【補正の内容】
【００２２】
請求項５に記載の光ピックアップ装置用のレンズ駆動装置は、請求項１〜４のいずれかに記載の発明において、前記ベースと前記基板とに半田付けされ、両者を連結するワイヤを有していることを特徴とするので、ワイヤを介してパターンＰＴ１〜ＰＴ４に電流を供給できるため、配線が簡略化されると共に、従来は接着剤によりワイヤとホルダの一部とを接着することで構成していたワイヤ支点を、半田付け部と共通にすることで、レンズの光軸に直交する方向（図１３でＹ軸に沿った方向）にシンプルに配置可能として、高精度な動作が可能となる。
【手続補正７】
【補正対象書類名】明細書
【補正対象項目名】００２３
【補正方法】変更
【補正の内容】
【００２３】
請求項６に記載の光ピックアップ装置用のレンズ駆動装置は、請求項１〜５のいずれかに記載の発明において、前記各対の磁石は、互いに異極を対向させた２つの磁石を有し、前記基板は、２つの磁石の間に配置されているので、バランス良く磁束密度を高めることで、共振を生じにくく広い範囲で安定した動作が可能で小型でも高感度なレンズ駆動装置を提供できる。但し、例えば図１の例において、磁石ＭＧ１，ＭＧ３を省略することもできる。
【手続補正８】
【補正対象書類名】明細書
【補正対象項目名】００２４
【補正方法】変更
【補正の内容】
【００２４】
請求項７に記載の光ピックアップ装置用のレンズ駆動装置は、請求項１〜５のいずれかに記載の発明において、前記各対の磁石は、それぞれ単一の分極磁石であることを特徴とするので、前記磁石の厚さ方向の寸法をより小さくできる。
【手続補正９】
【補正対象書類名】明細書
【補正対象項目名】００２５
【補正方法】変更
【補正の内容】
【００２５】
請求項８に記載の光ピックアップ装置用のレンズ駆動装置は、請求項１〜７のいずれかに記載の発明において、前記レンズ駆動装置が光ピックアップ装置に搭載されたとき、前記磁石は前記光ピックアップ装置の光源とは反対側に設けられていることを特徴とするので、光ピックアップ装置の小型化が図れる。
【手続補正１０】
【補正対象書類名】明細書
【補正対象項目名】００２６
【補正方法】変更
【補正の内容】
【００２６】
請求項９に記載の光ピックアップ装置用のレンズ駆動装置は、請求項１〜８のいずれかに記載の発明において、前記パターンは、前記基板に１層もしくは複数層設けることを特徴とするので、コイル有効長アップによる高感度化や、駆動コイルの数を増やすことによる多軸駆動や、駆動コイルの対称配置などが可能となり、小型でも高性能なアクチュエータを提供できる。
【手続補正１１】
【補正対象書類名】明細書
【補正対象項目名】００２７
【補正方法】変更
【補正の内容】
【００２７】
請求項１０に記載の光ピックアップ装置用のレンズ駆動装置は、請求項１、４〜９のいずれかに記載の発明において、前記基板は前記ホルダにインサート成形されていることを特徴とするので、基板を接合する手間が省けると共に、磁石とパターンとの間に障害物を配置しなくて済むので、より小型化が可能となり、またギャップ間隔を短縮できるので磁束密度を高めることができる。
【手続補正１２】
【補正対象書類名】明細書
【補正対象項目名】００２８
【補正方法】変更
【補正の内容】
【００２８】
請求項１１に記載の光ピックアップ装置用のレンズ駆動装置は、請求項１、４〜９のいずれかに記載の発明において、前記基板の一端が、前記ホルダに接着されていることを特徴とする。図３に示す本発明の別の例において、ホルダＨＬＤの両側には、溝部ＧＶ１、ＧＶ２が形成されている。溝部ＧＶ１、ＧＶ２に、基板ＣＢ１，ＣＢ２の一端を差し込んで接着剤等を用いて固定することで、ホルダＨＬＤに基板ＣＢ１，ＣＢ２を取り付けることができると共に、磁石とパターンとの間に障害物を配置しなくて済むので磁束密度を高めることができる。接着は面接着でも良いし、ポッティング接着でも良い。ここでは明記しないが、ホルダに種々の接着だまりを形成すると好ましい。
【手続補正１３】
【補正対象書類名】明細書
【補正対象項目名】００２９
【補正方法】変更
【補正の内容】
【００２９】
請求項１２に記載の光ピックアップ装置用のレンズ駆動装置は、請求項２〜９のいずれかに記載の発明において、前記基板の表面が、前記ホルダに形成された突出部に接着されていることを特徴とする。図４に示す本発明の別の例において、ホルダＨＬＤの両側には、突出部としての壁ＷＬ１、ＷＬ２が形成されている。基板ＣＢ１，ＣＢ２の裏面が、壁ＷＬ１、ＷＬ２に接着されている。かかる構成によれば、比較的容易な接合でありながら接着面積を広くとれるため、ホルダＨＬＤに基板ＣＢ１，ＣＢ２を高剛性を維持しつつ取り付けることができ、共振周波数を高め、レンズ駆動装置の広帯域化を図ることができる。突出部は壁に限られない。
【手続補正１４】
【補正対象書類名】明細書
【補正対象項目名】００３０
【補正方法】変更
【補正の内容】
【００３０】
請求項１３に記載の光ピックアップ装置用のレンズ駆動装置は、請求項１２に記載の発明において、前記突出部の一部には、切欠もしくは開口が形成されていることを特徴とする。図４のレンズ駆動装置を、B-B線で切断して矢印方向に見ると、図５に示すものとできる。即ち、壁ＷＬ２に開口ＷＬＡを形成することができる。かかる場合、開口ＷＬＡ内において磁石ＭＧ３，ＭＧ４の間は空間となっており、壁ＷＬ２が存在しないので、その分磁束密度を高めることができる。又、開口等を設けることで軽量化、高感度化を図れ、更に剛性のバランスを変えることで共振点を変化させ、共振ピークを抑えた構造とできる。尚、開口ＷＬＡの代わりに切欠を設けても良い。
【手続補正１５】
【補正対象書類名】明細書
【補正対象項目名】００３１
【補正方法】変更
【補正の内容】
【００３１】
請求項１４に記載の光ピックアップ装置用のレンズ駆動装置は、請求項１３に記載の発明において、一方の突出部の前記切欠もしくは前記開口は、他方の突出部の前記切欠もしくは前記開口と形状が異なっていることを特徴とするので、レンズを挟んだ両側で剛性のバランスを変えることで共振点を変化させ、共振ピークを抑えた構造とできる。例えば基板ＣＢ１の開口を円形、基板ＣＢ２の開口を矩形としたり、相似形としたりできる。
【手続補正１６】
【補正対象書類名】明細書
【補正対象項目名】００３２
【補正方法】変更
【補正の内容】
【００３２】
請求項１５に記載の光ピックアップ装置用のレンズ駆動装置は、請求項１３又は１４に記載の発明において、前記切欠もしくは前記開口内に、前記基板が装着されていることを特徴とするので、ギャップ間隔を短縮することで磁束密度を高め、また開口等を設けたことによる剛性低下を抑えることができ、広帯域化を図ることができる。より具体的には、図５の開口ＷＬＡに基板ＣＢ２を嵌合接着することができる。
【手続補正１７】
【補正対象書類名】明細書
【補正対象項目名】００３３
【補正方法】変更
【補正の内容】
【００３３】
請求項１６に記載の光ピックアップ装置用のレンズ駆動装置は、請求項１〜１５のいずれかに記載の発明において、前記渦巻き状のパターンは、トラッキング用とフォーカシング用の２種類設けられており、一対の基板に設けられたトラッキング用のパターンとフォーカシング用のパターンとは、それぞれ前記レンズを挟んで対称の位置に配置されていることを特徴とするので、高精度にレンズを駆動できる。
【手続補正１８】
【補正対象書類名】明細書
【補正対象項目名】００３４
【補正方法】変更
【補正の内容】
【００３４】
請求項１７に記載の光ピックアップ装置用のレンズ駆動装置は、請求項１６に記載の発明において、前記渦巻き状のパターンは、チルト用に設けられており、一対の基板に設けられたチルト用のパターンは、前記レンズを挟んで対称の位置に配置されていることを特徴とするので、高精度にレンズを駆動できる。
【手続補正１９】
【補正対象書類名】明細書
【補正対象項目名】００３５
【補正方法】変更
【補正の内容】
【００３５】
請求項１８に記載の光ピックアップ装置用のレンズ駆動装置は、請求項１〜１７のいずれかに記載の発明において、前記レンズ駆動装置は、光源側から入射した光束を立ち上げミラーで反射させ、レンズを介して光ディスクに集光させる光ピックアップ装置に用いられることを特徴とするので、光ピックアップ装置を薄形にできる。
【手続補正２０】
【補正対象書類名】明細書
【補正対象項目名】００３６
【補正方法】変更
【補正の内容】
【００３６】
請求項１９に記載の光ピックアップ装置用のレンズ駆動装置は、請求項１８に記載の発明において、前記光源からの光束は可動コリメータを通過して前記立ち上げミラーで反射されることを特徴とする。
【手続補正２１】
【補正対象書類名】明細書
【補正対象項目名】００３７
【補正方法】変更
【補正の内容】
【００３７】
請求項２０に記載の光ピックアップ装置用のレンズ駆動装置は、請求項１８又は１９に記載の発明において、前記可動コリメータを駆動するモータ装置を、前記磁石の近傍に設けたことを特徴とする。
【手続補正２２】
【補正対象書類名】明細書
【補正対象項目名】００３８
【補正方法】変更
【補正の内容】
【００３８】
請求項２１に記載の光ピックアップ装置用のレンズ駆動装置は、請求項１８〜２０のいずれかに記載の発明において、前記可動コリメータを、前記レンズの近傍に設けたことを特徴とする。